(57)【特許請求の範囲】
【請求項１】
正面及び背面と、前後方向及び厚さ方向とを有する平面ハンドル装置であって、
前記正面側に表示窓を有するケースと、前記ケースに引き出し旋回可能に軸支されたハンドルと、前方へばね付勢された状態でケース内に収納され、前記ハンドルの旋回と連動して前後方向へ直線往復運動可能なラッチ体と、前記ラッチ体の前記正面側に配された表示要素を有するインジケータ機構とを備え、
前記インジケータ機構は、前記表示要素を遮蔽する遮蔽板を有し、
前記遮蔽板は、施錠状態において、前記ラッチ体の前記遮蔽板へ向かって突出するフランジに当接するカム突起を有する軸部と、前記軸部から延びて前記表示要素を遮蔽する羽根とを有し、
前記ハンドルを引き出し旋回することによって、前記ラッチ体がばね付勢に抗して後退して解錠され、前記フランジが前記軸部の前記カム突起から離間して前記遮蔽板が旋回して前記表示要素が前記表示窓から露出されることを特徴とする前記平面ハンドル装置。
【請求項２】
前記インジケータ機構は、前記遮蔽板を被覆する遮蔽カバーをさらに有し、前記遮蔽カバーは、前記前後方向へ延びる両側壁間において前記遮蔽板とばねとが配置されたカバー本体を有し、前記遮蔽板が前記ばねによって前記カバー本体の一方側壁に付勢される請求項１に記載の平面ハンドル装置。
【請求項３】
前記遮蔽カバーは、透明又は半透明のプラスチック材料から形成されており、前記厚さ方向において前記表示窓と重なる凸曲部を有し、前記凸曲部が前記表示窓に前記背面側から嵌挿される請求項２に記載の平面ハンドル装置。
【請求項４】
前記遮蔽カバーは、前記遮蔽板を前記背面側から被覆する蓋体を有し、前記蓋体は、前記厚さ方向において前記表示窓と前記凸曲部とに重なって位置する透孔を有する請求項３に記載の平面ハンドル装置。
【請求項５】
前記遮蔽板の前記軸部の前記カム突起は曲状であって、中央に位置する直状部と、前記直状部から延びる一対の傾斜部と、直状部と傾斜部とが交差する当接角部とを有し、解錠状態において前記軸部の回転軸と当接角部との前記前後方向における離間寸法が約０．５〜１．５ｍｍである請求項１〜４のいずれかに記載の平面ハンドル装置。
【発明の詳細な説明】
【技術分野】
【０００１】
本発明は、扉等に使用される平面ハンドル装置に関する。
【背景技術】
【０００２】
特許文献１に開示された平面ハンドル装置は、扉等に固定されたケースと、ケースの正面凹部に横断枢軸を中心として引き出し回転可能なハンドルと、ケース内において上下に往復運動可能に収容されたラッチ体とを含む。
【先行技術文献】
【特許文献】
【０００３】
【特許文献１】特開平８−２４６７３５号公報
【発明の概要】
【発明が解決しようとする課題】
【０００４】
特許文献１に開示の平面ハンドル装置によれば、ハンドルを引き出し旋回することによって、その作動突子がラッチ体を付勢手段に抗して後退させ、ラッチ体の先端が固定枠体側の受溝から離脱して、施錠が解除される。
【０００５】
しかし、かかる平面ハンドル装置において、受溝に塵挨が入り込んだ状態でハンドルの引き出し回転を止めて施錠したとき、ラッチ体の先端が不完全な状態で受溝に進入してくると、扉が衝撃を受けた場合等に解錠状態になるおそれがある。また、受溝にパッキンが取り付けられているときには、ラッチ体の先端が進入してパッキンに当接したときに反撥し、施錠が完全になされないおそれがある。かかる事態において、外観上、一見して施錠が完全になされているのかはたまた施錠が不完全であって実質的に解錠された状態であるのかを外部から確認することができない。
【０００６】
本発明は、従来の平面ハンドル装置の改良であって、施錠状態及び／又は解錠状態であることを容易に視認することのできるインジケータ機能を備えた平面ハンドル装置の提供に関する。
【課題を解決するための手段】
【０００７】
前記課題を解決するために、本発明は、正面及び背面と、前後方向及び厚さ方向とを有する平面ハンドル装置を対象とする。
【０００８】
本発明に係る平面ハンドル装置は、前記正面側に表示窓を有するケースと、前記ケースに引き出し旋回可能に軸支されたハンドルと、前方へばね付勢された状態でケース内に収納され、前記ハンドルの旋回と連動して前後方向へ直線往復運動可能なラッチ体と、前記ラッチ体の前記正面側に配された表示要素を有するインジケータ機構とを備え、前記インジケータ機構は、前記表示要素を遮蔽する遮蔽板を有し、前記遮蔽板は、施錠状態において、前記ラッチ体の前記遮蔽板へ向かって突出するフランジに当接するカム突起を有する軸部と、前記軸部から延びて前記表示要素を遮蔽する羽根とを有し、前記ハンドルを引き出し旋回することによって、前記ラッチ体がばね付勢に抗して後退して解錠され、前記フランジが前記軸部の前記カム突起から離間して前記遮蔽板が旋回して前記表示要素が前記表示窓から露出されることを特徴とする。
【０００９】
本発明に係る平面ハンドル装置の実施態様の一つとして、前記インジケータ機構は、前記遮蔽板を被覆する遮蔽カバーをさらに有し、前記遮蔽カバーは、前記前後方向へ延びる両側壁間において前記遮蔽板とばねとが配置されたカバー本体を有し、前記遮蔽板が前記ばねによって前記カバー本体の一方側壁に付勢される。
【００１０】
本発明に係る平面ハンドル装置の他の実施態様の一つとして、前記遮蔽カバーは、透明又は半透明のプラスチック材料から形成されており、前記厚さ方向において前記表示窓と重なる凸曲部を有し、前記凸曲部が前記表示窓に前記背面側から嵌挿される。
【００１１】
本発明に係る平面ハンドル装置の他の実施態様の一つとして、前記遮蔽カバーは、前記遮蔽板を前記背面側から被覆する蓋体を有し、前記蓋体は、前記厚さ方向において前記表示窓と前記凸曲部とに重なって位置する透孔を有する。
【００１２】
本発明に係る平面ハンドル装置の他の実施態様の一つとして、前記遮蔽板の前記軸部の前記カム突起は曲状であって、中央に位置する直状部と、前記直状部から延びる一対の傾斜部と、直状部と傾斜部とが交差する当接角部とを有し、解錠状態において前記軸部の回転軸と当接角部との前記前後方向における離間寸法が約０．５〜１．５ｍｍである。
【発明の効果】
【００１３】
本発明に係る平面ハンドル装置によれば、施錠状態において遮蔽板がラッチ体に位置する表示要素を遮蔽している一方、解錠時においてハンドルを引き出し旋回してラッチ体がばね付勢に抗して後退することによって、遮蔽板が旋回して表示要素がケースの表示窓から露出するので、施錠又は／及び解錠を外部から容易に確認することができる。
【図面の簡単な説明】
【００１４】
【図１】平面ハンドル装置の施錠状態における斜視図。
【図２】平面ハンドル装置の解錠状態における斜視図。
【図３】平面ハンドル装置の分解斜視図。
【図４】（ａ）ラッチ体の正面図、（ｂ）図４（ａ）に示すＩＶ（ｂ）−ＩＶ（ｂ）線に沿う模式的断面図。
【図５】（ａ）遮蔽板の平面図、（ｂ）遮蔽板の側面図、（ｃ）解錠状態におけるカム突起の拡大平面図、（ｄ）ばねの平面図。
【図６】ケースを背面側から視た平面図。
【図７】ケースに遮蔽機構を配置した状態における、平面ハンドル装置の内部の様子を示す図。
【図８】図１に示すＶＩＩＩ−ＶＩＩＩ線に沿う模式的断面図。
【図９】図２に示すＩＸ−ＩＸ線に沿う模式的断面図。
【図１０】（ａ）施錠状態におけるインジケータ機構の様子を示す図、（ｂ）解錠状態におけるインジケータ機構の様子を示す図。
【図１１】施錠時及び解錠時における遮蔽板の様子を示す図。
【発明を実施するための形態】
【００１５】
図１〜３を参照すると、平面ハンドル装置１０は、前方Ｘ及び後方Ｙと、厚さ方向と、それらに直交する横断方向Ｚとを有し、正面にハンドル収納用の正面凹部２１を有するケース２０と、横断方向Ｚへ延びるピン１２が挿通された前端を支点として引き出し旋回可能に正面凹部２１に収容されたハンドル３０と、ケース２０に前後方向Ｘ，Ｙへ直線往復可能に収容されたラッチ体４０とを備える。平面ハンドル装置１０は、扉等の可動パネル１１ａの取付け孔（図示せず）に嵌着して使用される。
【００１６】
ケース２０は、中央に正面凹部２１を有する取付プレート部２２と、取付プレート部２２の背面から延出した周壁１８と、周壁１８によって囲繞されたラッチ体４０が収容されるラッチ体収容部２３とを有する。取付プレート部２２は、扉等の可動パネル１１ａに固定するための複数の取付孔２２ａとハンドル３０の作用突子３３が貫通される透孔２４とを有し、正面凹部２１を形成する周壁の前端側には、横断方向Ｚに延びるピン１２を挿入するための一対のピン孔２２ｂが横断方向Ｚにおいて離間対向して位置する。また、正面凹部２１の底面には、円孔状の表示窓２５が位置する。表示窓２５は、ハンドル３０が正面凹部２１に収容された状態において、ハンドル３０の後方に位置する。また、正面凹部２１の底面には、オプションとして、施錠状態においてハンドル３０を支持する一対の突起２７が位置する。
【００１７】
図６を参照すると、ラッチ体収容部２３は、後記の遮蔽機構６０が配置される幅広部分と突子受孔２４が位置する幅狭部分とを有し、それらの間には前進したラッチ体４０のフランジ４６が当接する段差１８ａが位置する。また、ラッチ体収容部２３は、遮蔽カバー６５を固定するための複数の突起２６と、遮蔽板６１の軸部７１が旋回可能に嵌挿される軸受凹部２８と、ばね６２のコイル部６２ａが嵌挿される凸部２９とを有する。
【００１８】
図３を参照すると、ハンドル３０は、ピン１２を介してケース２０に連結される基部３１と、施錠状態において基部３１から後方Ｙへ延びる略Ｕ字状の把持部３２と、基部３１の背面から延びる作用突子３３とを有する。ハンドル３０の基部３１には、横断方向Ｚに延びるピン挿通孔３１ａが形成されており、ハンドル３０をケース２０の正面凹部２１に配置した状態において、取付プレート部２２のピン孔２２ｂと基部３１のピン挿通孔３１ａとが連通し、それらを貫通するピン１２を中心としてハンドル３０が引き出し旋回可能に軸支される。
【００１９】
図３及び図４を参照すると、ラッチ体４０は、傾斜状の先端（ラッチ）４１ａと前後方向Ｘ，Ｙへ延びる長孔状の突子受孔４３とを有する前方部分４１と、内部にコイルばね５０を装填するための（後端）開口を有する後方部分４２と、前方部分４１と後方部分４２との間においてそれらよりも肉薄の凹状部４４とを有する。後方部分４２の前方Ｘ側は、横断方向Ｚへ張り出した幅広部４５が位置し、幅広部４５の前方Ｘ側には、凹状部４４との間に位置するフランジ４６が形成される。ラッチ体４０の後端開口４７から圧縮されたコイルばね５０が後方部分４２の内部に装填されることによって、ラッチ体４０は前方Ｘへ付勢される。また、後方部分４２の正面には、表示要素（インジケータ）４８が配置される。表示要素４８は、外部から視認可能なものであって、具体的には、赤色や青色等の色彩、図形、模様、文字又はそれらの組み合わせ等の識別要素から構成される。また、夜間でも容易に視認することができるように、蛍光塗料が塗布されていることが好ましい。
【００２０】
ハンドル３０は、ピン１２を介してケース２０に軸支されている状態において、作用突子３３がラッチ体４０の突子受孔４３に挿入される。ラッチ体４０がコイルばね５０によって前方Ｘへ付勢されているので、ハンドル３０は、基部３１が透孔２４の前方内壁に当接し、かつ、作用突子３３が突子受孔４３の後方内壁に当接してそれらの間に挟持された状態となる。ラッチ体４０の先端４１ａは、ケース２０の前端から前方Ｘへ突出し、固定パネル１１ｂ側のラッチ受部１３に嵌挿され、施錠される。ラッチ体４０は、フランジ４６が周壁１８の段差１８ａに当接することによって、ラッチ体収容部２３において安定的に収容される。図２を参照すると、かかる施錠状態から、ハンドル３０を起立する方向へ引き出し旋回することによって、作用突子３３がラッチ体４０をばね付勢に抗して後退させて、先端４１ａがラッチ受部１３から離脱して解錠される。ハンドル３０は、施錠状態（正面凹部２１に収容されている状態）から約３０〜５０°引き出し旋回可能であって、ハンドル３０から手を離すと、ばね付勢によってラッチ体４０が前進してハンドル３０が旋回し、作用突子３３の基端部分が再び透孔２４の前端縁に当接して施錠状態となる。
【００２１】
図３を参照すると、平面ハンドル装置１０は、表示要素４８を施錠状態と解錠状態とにおいて切り替え表示するための遮蔽機構６０をさらに有する。遮蔽機構６０は、硬質プラスチック製又は金属製の遮蔽板６１と、遮蔽板６１を常時横断方向Ｚの一方側へ付勢するためのばね（トーションばね）６２と、遮蔽板６１が収容されるカバー本体６３と遮蔽板６１のラッチ体４０側に位置する蓋体６４とから構成された遮蔽カバー６５とを備える。
【００２２】
カバー本体６３は、透明又は半透明のプラスチック製であって、ケース２０に固定するための複数の取付孔６６ａと前端縁側に位置する切欠６６ｂを有する基部６６と、基部６６の両側から背面側へ延びる側壁部６７と、ケース２０の表示窓２５に背面側から挿入される円形の凸曲部（窓カバー）６８を有する。凸曲部６８は、解錠時に表示要素４８と厚さ方向において重なって位置し、表示要素４８が凸曲部６８を介して表示窓２５から視認される。蓋体６４は、矩形のパネル状であって、複数の取付孔６４ａと、カバー本体６３の凸曲部６８と対向して位置する透孔６４ｂと、遮蔽板６１のカム突起７４が挿入される透孔６４ｃとを有する。なお、遮蔽板６１とばね６２とが安定的にカバー本体６３に収容される限りにおいて、遮蔽カバー６５は、カバー本体６３のみから構成されていてもよいし、カバー本体６３と蓋体６４とが一体に成形されていてもよい。また、カバー本体６３の凸曲部６８に対応する部分が開口であって、表示要素４８が表示窓２５から直接外部に露出してもよい。したがって、本願において、「表示要素４８が表示窓２５から外部に露出する」とは、カバー本体６３の凸曲部６８に透視される場合と表示窓２５から直接露出される場合とを含む。
【００２３】
図５（ａ）及び（ｂ）を参照すると、遮蔽板６１は、円筒状の軸部７１と、軸部７１から平板状に延びる羽根７２とを有する。軸部７１は、羽根７２よりも正面側へ突出する基端部分７３と、羽根７２よりも背面側へ突出した略半円状であってラッチ体４０のフランジ４６に当接されるカム突起７４とを有する。基端部分７３は、軸部７１が旋回できるようにケース２０のラッチ体収容部２３に位置する軸受凹部２８に嵌挿される。カム突起７４は、フランジ４６に当接される面において、中央に位置する直状部と、その両側に位置する傾斜部と、直状部と傾斜部とが交差する当接角部７７とを有する。
図５（ｃ）を参照すると、解錠時において、遮蔽板６１の羽根７２は、ばね６２によって斜め前方へ付勢されているので、カム突起７４の当接角部７７は、軸部７１の回転軸Ｐに対して偏心して位置する。このように、当接角部７７が偏心していることによって、施錠時においてそれにフランジ４６が後方から前方へ向かって当接したときに遮蔽板６１がばね付勢に抗して旋回する。なお、当接角部７７は、回転軸Ｐから偏心している限りにおいて、直状部と傾斜部とが交差した部分でなくてもよいし、曲状でもよいし、凸状ではなく平面状であってもよい。
【００２４】
図５（ｄ）を参照すると、ばね６２は、コイル状の固定部６２ａと、固定部６２ａから延出する一対のアーム６２ｂとを有する。ばね６２の一方アーム６２ｂのフック状の係止片６２ｃは、羽根７２に形成された細長状のスリット７５に係止される。
【００２５】
図７を参照すると、カバー本体６３は、内部に遮蔽板６１とばね６２とを介在した状態において、背面側から蓋体６４に被覆され、それらの取付孔６４ａ，６６ａを連通するようにケース２０の突起２６が嵌挿され、遮蔽カバー６５がケース２０に固定される。ばね６２は、コイル部６２ａがケース２０の凸部２９に嵌挿され、一方のアーム６２ｂが一方側壁６７Ａに当接され、他方のアーム６２ｂの先端に位置する屈曲状の係止片６２ｃが遮蔽板６１のスリット７５の前端に係止され、遮蔽板６１を他方側壁６７Ｂに向かって斜め前方へ付勢する。それによって、遮蔽板６１の羽根７２は、回転軸Ｐを中心として他方側壁部６７Ｂ側に向かって斜め前方（Ｖ１方向）と一方側壁部６７Ａ側へ向かって斜め後方（Ｖ２方向）とに旋回可能である。遮蔽板６１は、他方側壁６７Ｂ側へ前方に向かってばね付勢されていることによって、羽根７２が斜め後方へ延びて表示要素４８と厚さ方向において重ならない位置に移動する。それによって、蓋体６４の開口６４ｂと重なって位置するラッチ体４０の表示要素４８が透明又は半透明のカバー本体６３の凸曲部６８を介して外部から視認される。既述のとおり、カバー本体６３の凸曲部６８は、オプションであって、表示窓２５から内部に塵埃や小さなゴミが入り込むのを防止することができる。
【００２６】
図３，６を参照すると、ケース２０の背面側を被覆する背面パネル８０は、ラッチ体収容部２３を囲繞する周壁１８とほぼ同形である。背面パネル８０は、ラッチ体収容部２３内に遮蔽機構６０及びラッチ体４０が収容された状態において、そのねじ孔８１と周壁１８に位置するねじ孔８３にねじ８３を螺合することによってケース２０に固定される。
【００２７】
図７、８及び図１０（ａ）を参照すると、平面ハンドル装置１０の施錠状態においては、ラッチ体４０がコイルばね５０によって付勢されて前進し、カバー本体６３内においてばね６２の係止片６２ｃが遮蔽板６１のスリット７５内において前端から後端へ移動し、他方側壁６７Ｂ側へ付勢されていたカム突起７４の一方の傾斜部がフランジ４６に当接されて羽根７２がＶ２方向へ旋回する。このように、遮蔽板６１をばね付勢に抗して旋回させることによって、羽根７２がケース２０の表示窓２５と重なる位置に移動し、表示要素４８が遮蔽される。
【００２８】
図７，９及び図１０（ｂ）を参照すると、解錠状態において、すなわち、ハンドル３０を引き出し旋回してラッチ体４０をばね付勢に抗して後退させた状態においては、カム突起７４とフランジ４６とが前後方向Ｘ，Ｙにおいて互いに離間している。かかる状態において、ばね６２の係止片６２ｃは遮蔽板６１のスリット７５の前端に位置して、羽根７２を付勢してＶ１方向へ旋回させるので、表示窓２５からラッチ体の表示要素４８が露出され、平面ハンドル装置１０が安全に解錠されていることを外部から容易に視認することができる。
【００２９】
ハンドル３０から手を離したときには、ラッチ体４０がばね付勢によって前進し、カム突起７４の傾斜部がフランジ４６に当接して羽根７２がＶ２方向へ旋回し、表示窓２５と重なる位置に移動して表示要素４８が遮蔽される。かかる表示要素４８が遮蔽されている状態においては、ラッチ体４０の先端４１ａがラッチ受部１３に進入して施錠されており、安全に施錠されていることを外部から視認することができる。
【００３０】
このように、本願発明にかかる平面ハンドル装置１０は、ラッチ体４０の直線往復運動による動きを利用したカム機構による比較的に簡易な構成によって、施錠状態及び／又は解錠状態を外部から容易に認識することのできる、信頼性の高いインジケータ機能を低コストで実現するものである。したがって、例えば、施錠操作をして見掛け上は施錠されていることを視認した後に、固定パネル１１ｂ側のラッチ受部１３に粉塵が入り込んだり、ラッチ受部１３に取り付けられた弾性部材からなるパッキンの反撥によって完全にラッチ体４０の先端４１ａが係合されておらず施錠が不完全になされている状態であっても、表示窓２５を確認することによって（表示要素４８が現われていれば）施錠が不完全であることを外部から容易に認識することができる。とりわけ、消防車等の特殊車両の収容ボックスの引き出し扉の平面ハンドル装置において、施錠が不完全な場合には、そのまま走行することによって走行中に扉が開いて収容ボックス内の収容物が外に出されて、交通事故等の大きな問題を生じるおそれがあるところ、本発明による平面ハンドル装置１０によれば、完全に施錠されていることを外部から容易に視認することができるので、かかる不利益を生じるおそれはない。
【００３１】
また、施錠時においては、ラッチ体４０の直線往復運動が遮蔽板６１の旋回運動に円滑に変換されるものであるところ、図１１を参照すると、ラッチ体４０のストローク量に対する遮蔽板６１の旋回される度合いは、軸部７１の回転軸Ｐと解錠状態におけるカム突起７４の当接角部７７との前後方向Ｘ，Ｙにおける離間寸法Ｒとそのときの回転軸Ｐと当接角部７７との傾斜角度θとに依存する。本実施形態に係る発明においては、該寸法差Ｒが約０．５〜１．５ｍｍ、好ましくは、約１．０ｍｍであって、傾斜角度θは、約２５〜４５度である。施錠するときに、操作者がハンドル３０から手を離すとそれとほぼ同時に遮蔽板６１が旋回して表示要素４８が遮蔽される。解錠時においては、ハンドル３０を引き出し旋回すると瞬時に遮蔽板６１が旋回して表示要素４８が表示窓２５から露出される。このように、レスポンス性に優れ、ハンドル３０の僅かな引き出し旋回操作によって、インジケータによる表示を瞬時に切り替えることができる。
【符号の説明】
【００３２】
１０  平面ハンドル装置
２０  ケース
３０  ハンドル
４０  ラッチ体
４５  フランジ
４８  表示要素（インジケータ）
６１  遮蔽板
６２  ばね
６３  カバー本体
６４  蓋体
６５  遮蔽カバー
６８  凸曲部
７１  軸部
７２  羽根
７４  カム突起
７７  当接角部
Ｐ  軸部の回転軸
Ｘ  前方
Ｙ  後方
【要約】
【課題】  施錠状態及び／又は解錠状態であることを容易に視認することのできるインジケータ機能を備えた平面ハンドル装置の提供。
【解決手段】  正面側に表示窓２５を有するケース２０と、ケース２０に引き出し旋回可能に軸支されたハンドル３０と、前方Ｘへばね付勢された状態でケース２０内に収納され、ハンドル３０の旋回と連動して前後方向Ｘ，Ｙへ直線往復運動可能なラッチ体４０と、ラッチ体４０の正面側に配された表示要素４８を有するインジケータ機構とを備える。インジケータ機構は、表示要素４８を遮蔽する遮蔽板６１を有し、遮蔽板６１は、施錠状態において、ラッチ体４０の遮蔽板６１へ向かって突出するフランジ４６に当接するカム突起７４を有する軸部７１と、軸部７１から延びて表示要素４８を遮蔽する羽根７２とを有し、ハンドル３０を引き出し旋回することによって、ラッチ体４０がばね付勢に抗して後退して解錠され、フランジ４６が軸部７１のカム突起７４から離間して遮蔽板６１が旋回して表示要素４８が表示窓２５から露出される。
【選択図】図１【図１】
0005588084.tif 000002
【図２】
0005588084.tif 000003
【図３】
0005588084.tif 000004
【図４】
0005588084.tif 000005
【図５】
0005588084.tif 000006
【図６】
0005588084.tif 000007
【図７】
0005588084.tif 000008
【図８】
0005588084.tif 000009
【図９】
0005588084.tif 000010
【図１０】
0005588084.tif 000011
【図１１】
0005588084.tif 000012